(57)【要約】【課題】シリンジの装着性及び取り外し性の調和を図り、シリンジの破損防止を確保したブリスター包装体を提供すること。【解決手段】シリンジが収容されるよう絞り形状に成形された収納部を備えた容器本体に、蓋材がシールされてなるブリスター包装体であって、  前記収納部に、シリンジ本体をアンダーカットとして嵌合するアンダー部を設け、  該アンダー部の開口部の幅を、前記シリンジ胴体の径より僅かに小さなものとし、  アンダー部に嵌合するシリンジの胴体部分に接触抵抗性を有する部材を設けたこと、を特徴とするシリンジの脱落防止を確保したシリンジのブリスター包装体である。【選択図】図２
2007301033.tif 000002
【特許請求の範囲】
【請求項１】
シリンジが収容されるよう絞り形状に成形された収納部を備えた容器本体に蓋材がシールされてなるブリスター包装体であって、
前記収納部に、シリンジ本体をアンダーカットとして嵌合するアンダー部を設け、
該アンダー部の開口部の幅を、前記シリンジ胴部の径より僅かに小さなものとし、
アンダー部に嵌合するシリンジの胴体部分に接触抵抗性を有する部材を設けたこと、
を特徴とするシリンジの脱落防止を確保したシリンジのブリスター包装体。
【請求項２】
シリンジ胴部の径が、アンダー部の開口部の幅より、０．５〜２ｍｍ大きいことを特徴とする請求項１に記載のシリンジのブリスター包装体。
【請求項３】
接触抵抗性を有する部材が、シリンジラベル、粘着シート、またはエラストマー性シートである請求項１または２に記載のシリンジのブリスター包装体。
【請求項４】
接触抵抗性を有する部材が、シリンジラベル、粘着シート、またはエラストマー性シートの表面に接触抵抗剤を塗布したものからなるものである請求項１、２または３に記載のシリンジのブリスター包装体。
【請求項５】
接触抵抗剤が、アクリル系粘着剤である請求項４に記載のシリンジのブリスター包装体。
【発明の詳細な説明】
【技術分野】
【０００１】
本発明は、予め薬液が充填されているいわゆるプレフィルドシリンジを収納するブリスター包装体に関する。
【背景技術】
【０００２】
予め薬液を充填したシリンジ、いわゆるプレフィルドシリンジが知られている。このプレフィルドシリンジは、バレル（注射外筒）と、このバレルに挿入されるガスケットと、このガスケットに連結されたプランジャー（押し子）とを備え、バレル先端の注射針等の装着ノズルにキャップが取り付けられ、バレルとガスケットとにより囲まれる空間部に薬液等が収納されているシリンジであり、薬液を吸い取る作業を無くし、また薬剤の取り違えがないことから、近年多用されているものである。
【０００３】
このプレフィルドシリンジは、一般的には、バレルに薬液を充填した後、ガスケットを打栓して、次いで打栓されたガスケットにプランジャーロッドをネジ嵌合により組み立てられており、かくして組み立てられたプレフィルドシリンジは、落下等からの衝撃、或いは隣り合ったシリンジとの衝突からの衝撃を緩和するために、その一つ一つがトレー包装（ブリスター包装）されて流通に供されている。
【０００４】
かかるブリスター包装（ブリスターパック）は、輸送時の振動によるシリンジの緩み、プランジャーロッドの外れを防止し、また、シリンジの衝撃による破損防止を目的に用いられているものであり、一般的に、プレフィルドシリンジを全長方向に、アンダーカットとして嵌合固定するように保持する絞り形状、すなわちアンダー部を有する収納容器が用いられている（例えば、特許文献１または特許文献２等）。
そのために、収納容器としては、プレフィルドシリンジを嵌合、固定保持するために形状が崩れ得ない程度の硬度を有するプラスチック製のシート、フィルムを用いて絞り形状として構成され、プレフィルドシリンジを収納した容器の開口部を、剥離可能な封止部材である蓋材、例えば封止フィルムにより封止している。
【０００５】
通常、この絞り形状の収納容器にプレフィルドシリンジを固定保持するに当たっては、収納容器にアンダー部、すなわち、プレフィルドシリンジのシリンジ胴部をアンダーカットとして、該胴部を嵌合してシリンジを当接収納するアンダー部を形成する絞り形状突起部が設けられており、そのアンダー部にシリンジ胴部が嵌合され、固定保持する手段が採用されている。
【０００６】
この場合、アンダー部に嵌合されたシリンジ胴部は、ブリスター包装されたプレフィルドシリンジの輸送時の揺れにより簡単にアンダー部から脱落しないように、アンダー部として設けられた開口部、すなわちシリンジ胴部の挿入口の幅がシリンジ胴部の径よりもかなり小さなものとされている。したがって、ブリスター包装の収納部にプレフィルドシリンジを固定保持（装着）する場合には、大きな力が必要とされていた。
この装着時の大きな力は、そのままブリスターパックからプレフィルドシリンジの取り外す際にも必要とされ、その結果、ブリスターパックからプレフィルドシリンジを取り外し難い状態となり、取り外しに関する利便性が損なわれていた。また、取り外し難い故に、時としてプレフィルドシリンジが手から抜け落ちる事態が発生し、床面への脱落によるシリンジ破損が発生していた。
【０００７】
この点を防止するためには、アンダー部の開口部の幅をシリンジ胴部の径に比較してその差を僅かなものとすればよい。しかしながら、その場合には、逆にアンダー部からシリンジ胴部が容易に抜けるものとなり、ブリスター包装されたプレフィルドシリンジが輸送時の揺れ等によりアンダー部から外れてしまう問題がある。
また、このアンダー部からシリンジ胴部が容易に抜けてしまう事態は、ブリスターパック自体の床面への落下事故に際して、特に大きな問題とされる。すなわちプレフィルドシリンジが床面に対する落下衝撃により亀裂・破損の発生し易い部分は、シリンジ胴部の先端部分、すなわち肩部であり、落下衝撃によりブリスター包装されたシリンジがアンダー部から外れた結果、シリンジ肩部が床面と衝突することに起因するものである。
【０００８】
さらに、アンダー部からシリンジの外れの容易性は、シリンジの素材にも起因するものであった。すなわち、シリンジ素材としては、柔軟性のない材料、例えば、ポリ塩化ビニル、ポリエチレン、ポリプロピレン、ポリスチレン、ポリ−（４−メチルペンテン−１）、ポリカーボネート、環状ポリオレフィン樹脂、アクリル樹脂、アクリロニトリル−ブタジエン−スチレン共重合体、ポリエチレンテレフタレート等のポリエステル、ブタジエン−スチレン共重合体、ポリアミド系樹脂のような硬質樹脂材料、或いはガラス等が使用されており、したがって、シリンジ胴部の表面は滑りやすいものであり、アンダー部から容易に脱落してしまうものであった。
これらの問題は、薬液を充填されていないシリンジ容器でも同様に生じていた。
【０００９】
このように、シリンジのブリスターパックにおける収納に際して、その装着性と取り外し性の調和を図り、シリンジの破損防止を確保したブリスターパックについての検討が積極的になされていないのが現状であった。
【特許文献１】特開２００１−１０４４７５号公報
【特許文献２】特開平１１−１５５９４８号公報
【発明の開示】
【発明が解決しようとする課題】
【００１０】
したがって本発明は、上記の現状を鑑み、シリンジのブリスター包装において、シリンジ胴部を絞り形状を有する収納容器のアンダー部へ嵌合するに当たって、その装着性及び取り外し性の調和を図り、シリンジの破損防止を確保したブリスター包装体を提供することを課題とする。
【課題を解決するための手段】
【００１１】
かかる課題を解決するための、基本的構成である請求項１に記載の本発明は、シリンジが収容されるよう絞り形状に成形された収納部を備えた容器本体に、蓋材がシールされてなるブリスター包装体であって、
前記収納部に、シリンジ本体をアンダーカットとして嵌合するアンダー部を設け、
該アンダー部の開口部の幅を、前記シリンジ胴部の径より僅かに小さなものとし、
アンダー部に嵌合するシリンジの胴体部分に接触抵抗性を有する部材を設けたこと、
を特徴とするシリンジの脱落防止を確保したシリンジのブリスター包装体である。
【００１２】
より具体的な請求項２に記載の発明は、請求項１に記載の発明において、シリンジ胴部の径が、アンダー部の開口部の幅より、０．５〜２ｍｍ大きいこと、すなわちアンダー部の開口部の幅をシリンジ胴部の径より僅かに小さなものとすることを特徴とするシリンジのブリスター包装体である。
【００１３】
さらに具体的な本発明は、接触抵抗性を有する部材が、シリンジラベル、粘着シート、またはエラストマー性シートであり、さらにそれらの表面にアクリル系粘着剤である接触抵抗剤を塗布したものからなる上記のシリンジのブリスター包装体である。
【発明の効果】
【００１４】
本発明が提供するシリンジのブリスター包装体は、シリンジのブリスターパックのアンダー部への装着時の挿入力（装着力）を小さなものとすると共に、取り外し時における力をそれより大きくすることができる。その結果、ブリスターパックの製造作業においては小さな力でシリンジ装着が可能となる一方、ブリスターパックの落下時にシリンジがアンダー部より外れにくいものであり、したがってシリンジの破損を防止しうる利点を有している。
【００１５】
また、ブリスターパックにおけるアンダー嵌合部を従来のものと比較して小さくすることが可能となることから、製造作業効率，成形効率が向上する。
その結果、特殊仕様のブリスター成形装置を使用せず、成形サイクルの短縮化が可能となる。また、アンダー嵌合部を小さく成形することでブリスターパックの材質の制約に選択性の幅が広がり、総合的に低コストなブリスター包装体の提供が可能となる。
【発明を実施するための最良の形態】
【００１６】
以下に、本発明の詳細について、図面を参照にしながら説明する。
なお、以下はシリンジとしてプレフィルドシリンジを例に挙げ説明するが、薬液を充填されていないシリンジでも同様である。
【００１７】
図１は、本発明の実施例に基づくプレフィルドシリンジを収納したブリスター包装体より蓋材である封止フィルムを剥離した状態を示した平面概略図である。
【００１８】
すなわち、本発明が提供するプレフィルドシリンジを収納したブリスター包装体（ブリスターパック）１は、プレフィルドシリンジ３が嵌着収容されるよう絞り形状に作成された収納部１０を備えた容器本体２１に、蓋材である例えば封止フィルム（図示せず）がシールされてなるものであって、かかるブリスター包装体１のシリンジ収容部１０は、プレフィルドシリンジの先端部３１及びシリンジの基端胴部３２の２箇所において嵌着収納する絞り形状アンダー部１１及び１２が形成されており、それぞれの該絞り形状アンダー部１１、１２にシリンジ先端部３１及びシリンジ基端部の胴部３２が嵌着収納（装着）されている。なお、２２は、ブリスター包装体に対する蓋材である例えば封止フィルム１０１（図示せず）をシールするシール部である。
【００１９】
なお、本実施例においてはアンダー部１１及び１２は、プレフィルドシリンジの先端部３１及びシリンジの基端胴部３２の２箇所を嵌着収納するよう形成されているが、アンダー部の形成箇所はこれに限定されず、シリンジ３を保持するに適した箇所に適宜形成させることができる。
また、アンダー部の数は特に制限されるものではなく、プレフィルドシリンジを全長方向の一箇所に幅広く形成させたものであってもよい。
【００２０】
本実施例における本発明のブリスター包装体１は、プレフィルドシリンジ３の胴部をアンダーカットとして嵌合するアンダー部１１及び１２を設け、そのアンダー部の開口部の幅を、前記シリンジ胴体の径より僅かに小さなものとし、その上で、アンダー部に嵌合するシリンジの胴体部分の少なくともアンダー部の開口部に当接する箇所に、アンダー部の開口部の面との接触抵抗性を有する部材４０を設けたものであり、その接触抵抗性により、アンダー部の開口部の径と、シリンジ胴体の径の差が小さなものであっても、アンダー部からシリンジの脱落が防止されていることとなる。
【００２１】
なお、プレフィルドシリンジ３は、バレル（注射外筒）５と、このバレルに挿入されるガスケット（図示せず）と、このガスケットに連結されたプランジャー（押し子）６とを備え、バレル先端の注射針等の装着ノズル７にキャップ８が取り付けられており、バレル内に薬液１００（図示せず）等が充填されている。
【００２２】
本実施例におけるアンダー部におけるシリンジ胴部の嵌着保持（装着）の状態を、シリンジ先端部３１のＡ−Ａ線の拡大断面図として、第２図に示した。
すなわち本発明が提供するブリスター包装体１において、プレフィルドシリンジ３を収納する収納部１０においては、特にシリンジ先端部３１を嵌着収納するアンダー部１１にあっては、その開口部の幅（ａ）は、シリンジ胴部の径（ｂ）より僅かに小さなものとされている。すなわち、シリンジ胴部の径（ｂ）と開口部の幅（ａ）との差（ｃ）は小さなものである。
本発明にあっては、その開口部の幅とシリンジ胴部の径の差（ｃ）が、０．５〜２ｍｍの範囲程度の範囲内にあればよい。
この寸法の差が大きいものであれば、シリンジのアンダー部からの脱落は防止しうるものの、アンダー部への装着、取り外しに大きな力が必要となり、好ましいものではない。
【００２３】
通常、この差（ｃ）が小さなものであると、アンダー部１１に嵌着保持されたシリンジ３は、容易にアンダー部１１から抜け出てしまうが、本発明においては、アンダー部１１に嵌合するシリンジ３の胴体部分の少なくともアンダー部の開口部に当接する箇所１５に、アンダー部の開口部の面との接触抵抗性を有する部材４０を設けることにより、シリンジの外れ易さを防いでいる。
本実施例においては、この接触抵抗性を有する部材４０としてシリンジ３の胴部全体をシールするラベル４０が当該接触抵抗性を有する部材となる。
【００２４】
そのような接触抵抗性を有する部材としては、本実施例のラベルに限定されず、例えば粘着シート、エラストマー性シート、すべり止めゴムシート、塩化ビニールシート等を挙げることができ、また、ラベル表面に接触抵抗剤（例えば、粘着剤としてアクリル系、ゴム系、シリコン系、ウレタン系、オレフィン系等、またはノンスリップ剤としてアクリル系のノンスリップニス、アクリルウレタン系インキ等）を塗布したものを用いることができる。
また、接触抵抗性を有する部材４０は、本実施例のように、アンダー部１１とシリンジ３の接触面全体に設けたものでなく、少なくともアンダー部１１の開口部に当接する箇所１５に対応する、シリンジ３の胴部の相当箇所に設けたものであればよい。
【００２５】
そのように構成することにより、シリンジ３胴部の他の部分は滑らかなものとなっていることから、アンダー部１１への装着性は良好なものであり、一旦アンダー部１１にシリンジ胴部が嵌着保持された場合には、アンダー部１１の開口部に当接する箇所１５に付与されたシリンジとの接触抵抗性により、脱落が防止されることとなる。
【００２６】
その点を、図３に示した模式図により説明する。
図３の（Ｉ）は、アンダー部１１にプレフィルドシリンジ３が嵌着されるステップにおける嵌着開始時の状態を模式的に示したものである。この場合にあっては、シリンジ３の胴部には、アンダー部１１の開口部に当接する箇所１５に対応する、シリンジ３の胴部の相当箇所に接触抵抗性を有する部材４０として、例えば粘着テープが設けられている。
この状態ではアンダー部１１の開口部を押し広げ、シリンジ胴部への嵌着が開始されるが、粘着テープが貼られていない未貼着部は、シリンジ胴部の径（ｂ）と開口部の幅（ａ）との差（ｃ）が小さなものであること、及びシリンジ胴部表面の滑らかさにより容易に小さな力でアンダー部に挿入していくことができる。
【００２７】
図３の（ＩＩ）は、アンダー部１１にプレフィルドシリンジ３が嵌着されるステップにおける、嵌着途中の段階の状態を模式的に示したものであり、上記の図３の（Ｉ）の状態がより進んだ状態である。
【００２８】
図３の（ＩＩＩ）は、アンダー部１１にプレフィルドシリンジ３が嵌着されるステップにおける、嵌着が完了した段階の状態を模式的に示したものである。
この段階において、シリンジ３胴部はアンダー部１１への嵌着が完了し、その状態において、接触抵抗性を有する部材４０である粘着テープを介して、シリンジ３とアンダー部１１は固定され、シリンジ胴部の径（ｂ）と開口部の幅（ａ）との差（ｃ）が小さなものであっても、その固定によりアンダー部からの脱落が防止され、その結果シリンジの破損の発生を防止し得ることとなる。
【００２９】
以上のように、本発明が提供するシリンジのブリスター包装においては、シリンジ胴部を絞り形状を有する収納容器のアンダー部へ嵌着するに当たって、その装着性及び取り外し性の調和を図り、シリンジの破損発生の防止を確保したものであるが、その点を以下の試験例により示す。
【００３０】
試験例：ブリスターパックのアンダー部に対するプレフィルドシリンジの装着性及び取り外し性の検討
環状ポリオレフィン樹脂をシリンジ素材とする充填用量２０ｍＬのプレフィルドシリンジ（バレルの胴部の径：２２ｍｍ、シリンジバレルの肉厚：１ｍｍ）に、生理食塩水を２０ｍＬ充填し、上記の実施例に基づくブリスターパックのアンダー部への装着／取り外しを行い、その強度を測定した。
アンダー部の開口部として、シリンジ胴部の径（ｂ）と開口部の幅（ａ）との差（ｃ）がそれぞれ１．５ｍｍ及び２ｍｍのものを作成し、シリンジの嵌着部分には、接触抵抗性を有する部材として、表中に記載のラベルをシールした。
なお、試験は、各シリンジについて３回行った。
その結果を下記表１中にまとめて示した。
【００３１】
【表１】
2007301033.tif 000003
【００３２】
＊１：５０μｍテープ（表面ＰＥＴの粘着テープ）
＊２：２３０μｍテープ（表面ＰＥＴの粘着テープ）
＊３：２４０μmノンスリップコート（表面にウレタンインキをコートした粘着テープ）
＊４：２４０μｍ両粘着テープ（表面に粘着剤をコートした両粘着テープ）
＊５：２８０μｍ両粘着テープ（表面に粘着剤をコートした両粘着テープ）
【００３３】
以上に示した結果から判明するように、プレフィルドシリンジのブリスター包装において、アンダー部へシリンジを嵌着するに当たって、その装着性及び取り外し性の両強度のバランスが図れていることが理解される。
特に、検体Ｇ（接触抵抗性部材をアンダー部の開口部に当接する箇所のみの両サイドに設けたもの）にあっては、嵌着時の強度を小さくし、取り外し時の強度を大きくすることによって、嵌着の容易性と落下時の外れにくさが確保され、破損の発生を防止しうるものであった。
【産業上の利用可能性】
【００３４】
以上に記載したように、本発明が提供するシリンジのブリスター包装体は、ブリスターパックのアンダー部へのシリンジの装着時の挿入力（嵌着力）を小さなものとすると共に、取り外し時における力をそれより大きくすることができる。
したがってそれにより、シリンジの破損防止が図れるものである。
【図面の簡単な説明】
【００３５】
【図１】本発明の実施例に基づくプレフィルドシリンジを収納したブリスター包装体より蓋材である封止フィルムを剥離した状態を示した平面概略図である。
【図２】図１のＡ−Ａ線の拡大断面図である。
【図３】アンダー部にプレフィルドシリンジが嵌着される状態を模式的に示した図である。（Ｉ）は嵌着開始時の状態を、（ＩＩ）は嵌着途中の状態を、（ＩＩＩ）は嵌着が完了した段階の状態を示したものである。
【符号の説明】
【００３６】
１      ブリスター包装体
１０    収容部
１１    アンダー部
１２    アンダー部
１５    開口部当接面
２１    容器本体
２２    シール部
３１    シリンジ先端部
３２    シリンジ基端部
３３    シリンジ肩部
４０    接触抵抗性部材
１００  薬液
【図１】
2007301033.tif 000004
【図２】
2007301033.tif 000005
【図３】
2007301033.tif 000006